(57)【特許請求の範囲】
【請求項１】
嵌合可能な雌雄のコネクタハウジングと、雌雄のコネクタハウジングのいずれか一方に回動自在に設けられ他方のコネクタハウジングのカムピンをカム溝内に回動動作で案内することで雌雄のコネクタハウジングを嵌合させるレバーとを備えたコネクタに用いられて雌雄のコネクタの誤結を防止するコネクタの誤結防止構造であって、
前記雌雄のコネクタハウジングの誤組付時に初期嵌合状態で誤結合を阻止すると共に、レバーの回動動作により前記カムピンが押圧されて雌雄のコネクタハウジングを離間可能な誤結防止手段を有し、前記誤結防止手段が、他方のコネクタハウジングに設けられたリブと、一方のコネクタハウジングに設けられて雌雄のコネクタハウジングの誤組付時に前記リブと当接して前記レバーの回動動作により前記カムピンを前記レバーが押圧可能な初期嵌合状態とするストッパとからなることを特徴とするコネクタの誤結防止構造。
【発明の詳細な説明】
【０００１】
【発明の属する技術分野】
この発明はコネクタの誤結防止構造に関し、さらに詳しくは、一方のコネクタハウジングに嵌合操作用のレバーが設けられたレバー嵌合式のコネクタにおける誤結防止構造に関する。
【０００２】
【従来の技術】
従来、レバー嵌合式のコネクタとしては、図６に示すようなものがある。このコネクタ１００は、雌コネクタ１０１と雄コネクタ１０２とからなる。雌コネクタ１０１は、前後方向に複数の端子収容室１０３が形成された雌コネクタハウジング１０４の左右両側面に案内用突起１０５、１０５が突設されている。端子収容室１０３には、図示しない雌端子金具が挿入、保持されるようになっている。
【０００３】
雄コネクタ１０２は、雌コネクタ１０１を嵌合する略角筒形状の雌コネクタハウジング１０５に形成された複数の端子収容室１０６に図示しない雄端子金具が挿入、保持されるようになっている。そして、雄コネクタハウジング１０５の左右の前端縁には、後側へ向けて所定長さの案内用切欠き１０７、１０７が形成されている。これら案内用切欠き１０７、１０７は、雌コネクタ１０１側の案内用突起１０５が、雌雄コネクタ１０１、１０２が結合する際に挿入されるようになっている。また、雄コネクタハウジング１０５の左右側壁は、レバー１０８を回転自在に支持するためのレバー回転支持軸１０９、１０９が突設されている。
【０００４】
レバー１０８は、雄コネクタハウジング１０５の左右の側壁外側面に沿って配置される一対のアームプレート１１０、１１０と、これらアームプレート１１０、１１０の端部同士を連結するように架設された連結操作部１１１とから構成されている。アームプレート１１０の所定位置には、レバー回転支持軸１０９を回動自在に嵌合する軸穴１１２が形成されている。そして、レバー１０８は、レバー回転支持軸１０９に軸穴１１２を嵌合させるように組み付けられると共に、レバー回転支持軸１０９に装着されるコイルスプリング１１３により所定回転方向へ常時付勢されるようになっている。また、レバー１０８におけるアームプレート１１０には、雄コネクタハウジング１０５に形成された案内用切欠き１０７に雌コネクタ１０１側の案内用突起１０５が挿入されるときに、このレバー１０８をコイルスプリング１１３の付勢力に抗して回動させることにより案内用突起１０５を案内用切欠き１０７の内奥へ引き込むためのカム溝１１４が形成されている。
【０００５】
【発明が解決しようとする課題】
上記したコネクタ１００では、図７に示すように、雄コネクタ１０２の前端開口部に雌コネクタ１０１を挿入し、レバー１０８を図中太い矢印で示す方向へ回動操作することにより、雌コネクタ１０１側の案内用突起１０５を、レバー１０８のカム溝１１４の内面で拾って案内用突起１０５を雄コネクタハウジング１０５に形成された案内用切欠き１０７の内奥へ引き込むようになっている。しかし、図７に示すように、雌雄コネクタ１０１、１０２の嵌合初期状態でレバー１０８を回動操作した場合、ともすると、カム溝１１４の入口のカム面が案内用突起１０５を上方へ向けて押すだけで、案内用切欠き１０７の内奥へ向けて引き込まない場合が生じる。このとき、無理にレバー１０８を回動させると、レバー１０８に破損が発生するという問題点があった。特に、このような問題は雄コネクタ１０２に対して雌コネクタ１０１の向き（上下）を逆にして挿入して雌コネクタ１０１が雄コネクタ１０２内に引き込まれることがない場合に多く発生する。
【０００６】
そこで、本発明は、コネクタ同士の向きなどを誤って組み付けた場合に、レバーを破損させることのない、コネクタの誤結防止構造を提供することを目的としている。
【０００７】
【課題を解決するための手段】
請求項１記載の発明は、嵌合可能な雌雄のコネクタハウジングと、雌雄のコネクタハウジングのいずれか一方に回動自在に設けられ他方のコネクタハウジングのカムピンをカム溝内に回動動作で案内することで雌雄のコネクタハウジングを嵌合させるレバーとを備えたコネクタに用いられて雌雄のコネクタの誤結を防止するコネクタの誤結防止構造であって、前記雌雄のコネクタハウジングの誤組付時に初期嵌合状態で誤結合を阻止すると共に、レバーの回動動作により前記カムピンが押圧されて雌雄のコネクタハウジングを離間可能な誤結防止手段を有し、前記誤結防止手段が、他方のコネクタハウジングに設けられたリブと、一方のコネクタハウジングに設けられて雌雄のコネクタハウジングの誤組付時に前記リブと当接して前記レバーの回動動作により前記カムピンを前記レバーが押圧可能な初期嵌合状態とするストッパとからなることを特徴とする。
【０００８】
このような構成の請求項１記載の発明では、雌雄のコネクタハウジングの誤組付時に誤結防止手段が、初期嵌合状態で誤結合を阻止するため、作業者が誤って雌雄コネクタを誤結合することを未然に防止することができる。また、誤結防止手段は、レバーの回動動作によりカムピンが押圧されて雌雄のコネクタハウジングを離間可能とするため、雌雄コネクタ同士の誤結合を認識し易くすることができる。
【００１０】
また、他方のコネクタハウジングに設けられたリブが、一方のコネクタハウジングに設けられて雌雄のコネクタハウジングの誤組付時にリブと当接するため、簡単な構造で誤結合を防止できる。また、ストッパがカムピンをレバーが押圧可能な初期嵌合状態とするため、レバーの回動動作に伴ってレバーが破損するのを防止する作用がある。
【００１１】
【発明の実施の形態】
以下、本発明に係るコネクタの誤結防止構造の詳細を図面に示す実施形態に基づいて説明する。
【００１２】
図１に示すように、本実施形態の誤結防止構造を備えるコネクタ１は、互いに嵌合して接続を図る雄コネクタ２と雌コネクタ３とからなる。図１に示すように、雄コネクタ２に組み付けられる複数の電線４のそれぞれの端末には、雄端子金具５が取り付けられている。一方、雌コネクタ３に組み付けられる複数の電線４のそれぞれの端末には、雌端子金具６が取り付けられている。
【００１３】
雄コネクタ２は、図２に示すように、雄コネクタハウジング７と、雄コネクタハウジング７に回動可能に支持されるレバー８とから大略構成されている。雄コネクタハウジング７は、電線４の端末に接続された雄端子金具５がそれぞれ収容される複数の図示しない端子収容室が前後方向に貫通して形成されている。これらの端子収容室に収容された複数の雄端子金具５は、互いに所定間隔を隔てて平行に並ぶように位置決めがなされるようになっている。
【００１４】
また、雄コネクタハウジング７の左右側壁の前端縁には、後側へ向けて所定長さの案内用切欠き９、９が形成されている。これら案内用切欠き９、９は、後述する雌コネクタ３側のカムピンとしての案内用突起３Ａが、雌雄コネクタ３、２が結合する際に挿入されるようになっている。
【００１５】
さらに、雄コネクタハウジング７の左右の側壁には、レバー８を支持するためのレバー回転支持軸１０、１０が突設されている。なお、レバー８は、雄コネクタハウジング７の左右の側壁外側面に沿って配置される一対のアームプレート１１、１１と、これらアームプレート１１、１１の端部同士を連結するように架設された連結操作部１２とから構成されている。アームプレート１１の所定位置には、レバー回転支持軸１０を回動自在に嵌合する軸穴が形成されている。そして、レバー８は、レバー回転支持軸１０、１０に軸穴を嵌合させるように組み付けられると共に、レバー回転支持軸１０、１０に装着される図示しないコイルスプリングにより所定回転方向へ常時付勢されるようになっている。また、レバー８におけるアームプレート１１には、雄コネクタハウジング７に形成された案内用切欠き９に雌コネクタ２側の案内用突起３Ａが挿入されたときに、このレバー８をコイルスプリングの付勢力に抗して回動させることにより案内用突起３Ａを案内用切欠き９の内奥へ引き込むためのカム溝１３が形成されている。
【００１６】
特に、本実施形態では、雄コネクタハウジング７におけるレバー８の回動に干渉しない前端下部両側には、後述する雌コネクタ３側の誤結防止手段である誤結防止用リブ３Ｂ、３Ｂに対応するリブ挿入用凹部１４、１４が形成されている。このリブ挿入用凹部１４は、雄コネクタハウジング７の前端面から後側へ向けて凹設されている。
【００１７】
一方、雌コネクタ３は、図１に示すように、雌コネクタハウジング１５の複数の端子収容室１６に雌端子金具６及び電線４がそれぞれ挿入、保持されるようになっている。これら端子収容室１６に収容された雌端子金具６及び電線４は、互いに所定間隔を隔てて平行に並ぶように位置決めがなされるようになっている。また、雌コネクタハウジング１５の左右の側壁には、上記した雄コネクタ２側の案内用切欠き９及びレバー８に形成されたカム溝１３に挿入される案内用突起３Ａが突設されている。なお、これら案内用突起３Ａ、３Ａは、レバー８による引き込み力を雌コネクタ３全体に均等に伝えるために、雌コネクタハウジング１５の側壁の上下方向の中央位置に配置されている。
【００１８】
また、雌コネクタハウジング１５前端部には、図１及び図３に示すように、上述した雄コネクタハウジング７の前端下部両側に形成されたリブ挿入用凹部１４、１４に対応する位置に誤結防止用リブ３Ｂ、３Ｂが突設されている。このため、雌雄コネクタ３、２が適正に結合する場合は、雄コネクタハウジング７のリブ挿入用凹部１４、１４に、雌コネクタハウジング１５に形成された誤結防止用リブ３Ｂ、３Ｂが挿入されて、雄コネクタ２内に雌コネクタ３が嵌合するようになっている。万一、雄コネクタハウジング１５に対して、雌コネクタ３が上下逆の姿勢で挿入された場合は、図２に示すように雄コネクタハウジング７の前端開口上部両側の破線で示す領域（ストッパ領域）Ｓに当接して雌雄コネクタ３、２の嵌合が規制されるようになっている。
【００１９】
図４は、雄コネクタハウジング１５に対して、雌コネクタ３が上下逆の姿勢で挿入された場合を示す側面図である。この状態では、雌コネクタハウジング１５に形成された誤結防止用両側３Ｂ、３Ｂが、雄コネクタハウジング７のストッパ領域Ｓ、Ｓに当接するため、図４に示すように、雌コネクタ３側の案内用突起３Ａは、雄コネクタ２側の案内用切欠き９及びレバー８のカム溝１３の入口に入り込まず、手前の位置で挿入が規制される。このため、作業者が誤ってレバー８を図４中太い矢印で示す方向へ回動させても、レバー８は案内用突起３Ａを捕らえていないため、容易に回動する。
【００２０】
すると、レバー８のアームプレート１１は、回動に伴って案内用突起３Ａに当接してこの案内用突起３Ａを雄コネクタ２から離間させる方向へ押す作用を有する。なお、このような作用が得るには、レバー８のアームプレート１１に、回動に伴って案内用突起３Ａに当接する膨出部１１Ａを予め形成しておけばよい。膨出部１１Ａが案内用突起３Ａを押すことにより、雌コネクタ３は雄コネクタ２から離間方向（図５中太い矢印で示す）へ押し出されて排出される。この結果、雌雄コネクタ３、２の誤結合と、レバー８に無理な応力がかかることによるレバー８の破損を防止することができる。
【００２１】
以上、実施形態について説明したが、本発明はこれに限定されるものではなく、構成の要旨に付随する各種の変更が可能である。例えば、上記した実施形態では、雌コネクタハウジング１５に誤結防止用リブ３Ｂ、３Ｂを形成し、雄コネクタハウジング７側にリブ挿入用凹部１４、１４を形成したが、逆に雄コネクタハウジング７側に誤結防止用リブを形成し雌コネクタハウジング１５側にリブ挿入用凹部を形成する構成としてもよい。
【００２２】
【発明の効果】
以上の説明から明らかなように、請求項１記載の発明によれば、雌雄のコネクタハウジングの誤組付時に誤結防止手段が、初期嵌合状態で誤結合を阻止するため、作業者が誤って雌雄コネクタを誤結合することを未然に防止する効果がある。また、請求項１記載の発明によれば、誤結防止手段が、レバーの回動動作によりカムピンが押圧されて雌雄のコネクタハウジングを離間可能とするため、雌雄コネクタ同士の誤結合を認識し易くする効果がある。
【００２３】
また、他方のコネクタハウジングに設けられたリブが、一方のコネクタハウジングに設けられて雌雄のコネクタハウジングの誤組付時にリブと当接するため、簡単な構造で誤結合を防止できるという効果がある。また、請求項２記載の発明によれば、ストッパがカムピンをレバーが押圧可能な初期嵌合状態とするため、レバーの回動動作に伴ってレバーが破損するのを防止する効果がある。
【図面の簡単な説明】
【図１】本発明に係る誤結防止構造を備えたコネクタの実施形態を示す分解斜視図である。
【図２】実施形態における雄コネクタの正面図である。
【図３】実施形態における雌コネクタの正面図である。
【図４】実施形態における雌雄コネクタの誤結合状態を示す側面図である。
【図５】実施形態における雌雄コネクタの誤結合状態を示す側面図である。
【図６】従来のコネクタの分解斜視図である。
【図７】従来のコネクタの誤結合状態を示す側面図である。
【符号の説明】
１  コネクタ
２  雄コネクタ
３  雌コネクタ
３Ｂ  誤結防止用リブ
８  レバー
９  案内用切欠き
１１  アームプレート
１３  カム溝
１４  リブ挿入用凹部
Ｓ  ストッパ領域
【図１】
0003961233.tif 000002
【図２】
0003961233.tif 000003
【図３】
0003961233.tif 000004
【図４】
0003961233.tif 000005
【図５】
0003961233.tif 000006
【図６】
0003961233.tif 000007
【図７】
0003961233.tif 000008